(57)【要約】【課題】  補修材の注入時の段取り作業を削減して注入作業を効率的に行うと共に注入作業に繰り返し使用することで産業廃棄物処理の量を減少することが可能なコンクリート壁面のひび割れ補修装置を提供する。【解決手段】  コンクリート壁面のひび割れ補修装置１０は、補修材を注入する補修材注入手段１１と注入手段取付け治具１３を備え、補修材注入手段１１は先端側に補修材が流出する流路１２が設けられて伸縮可能な補修材収納容器１４と、補修材収納容器１４を伸縮可能な状態で収納する保持ケース１５と、保持ケース１５内に設けられ補修材収納容器１４の基端側に当接し補修材の注入時に補修材収納容器１４の基端側と共に前進するピストン１６とを有し、流路１２には注入手段取付け治具１３に流路１２の先部を取付けた際に開となる逆止弁２３が設けられている。【選択図】        図１
2005163431.tif 000002
【特許請求の範囲】
【請求項１】
コンクリート壁面に生じたひび割れの開口部に補修材を注入する補修材注入手段と、前記開口部の一部に被せて使用され前記補修材注入手段に連結されて、該補修材注入手段に充填されている補修材を前記開口部に注入する注入治具とを備えたコンクリート壁面のひび割れ補修装置において、
前記補修材注入手段は、
先部に前記注入治具に取り外し可能に連結されるカプラー部と、
前記カプラー部に連結されて内部に前記補修材が充填された周囲が蛇腹部となった補修材容器と、
ベース部材を先部に備え、前記蛇腹部を囲み、伸縮する該蛇腹部をガイドする保持ケースと、
前記蛇腹部の基部に設けられて、前記保持ケース内を移動し、縮んだ状態の前記蛇腹部の基端部に半径方向外側まで被さり、先部には前記蛇腹部に嵌入する突出部を備えるピストンと、
前記ピストンを前記ベース部材に向けて付勢する弾性部材とを有し、
前記ピストンの突出部の外径は、前記蛇腹部が縮んだ状態の該蛇腹部の内径に実質等しいか又は僅少の範囲で小さく、該突出部の高さは、前記蛇腹部が縮んだ時の高さ分を有し、前記ピストンの最大押圧時には、前記蛇腹部内の補修材の全部を前記カプラー部を介して排出可能なことを特徴とするコンクリート壁面のひび割れ補修装置。
【請求項２】
請求項１記載のコンクリート壁面のひび割れ補修装置において、前記ピストンの突出部の先部に、前記蛇腹部に挿通するための先部方向に縮径したガイド部を有し、しかも、前記ベース部材には前記ガイド部が密着嵌入する空間部を備えていることを特徴とするコンクリート壁面のひび割れ補修装置。
【請求項３】
コンクリート壁面に生じたひび割れの開口部に補修材を注入する補修材注入手段と、前記開口部の一部に被せて使用され前記補修材注入手段に連結されて、該補修材注入手段に充填されている補修材を前記開口部に注入する注入治具とを備えたコンクリート壁面のひび割れ補修装置において、
前記補修材注入手段は、
先部に前記注入治具に取り外し可能に連結されるカプラー部と、
前記カプラー部に連結されて内部に前記補修材が充填された周囲が蛇腹部となった補修材容器と、
ベース部材を先部に備え、前記蛇腹部を囲み、伸縮する該蛇腹部をガイドする保持ケースと、
前記蛇腹部の基部に設けられて、前記保持ケース内を移動し、縮んだ状態の前記蛇腹部の基端部に半径方向外側まで被さるピストンと、
前記ピストンを前記ベース部材に向けて付勢する弾性部材とを有し、
前記ベース部材には、前記蛇腹部に嵌入する突出部を備え、該突出部の外径は、前記蛇腹部が縮んだ状態の該蛇腹部の内径に実質等しいか又は僅少の範囲で小さく、該突出部の高さは、前記蛇腹部が縮んだ時の高さ分を有し、前記ピストンの最大押圧時には、前記蛇腹部内の補修材の全部を、前記突出部及び前記カプラー部を介して排出可能なことを特徴とするコンクリート壁面のひび割れ補修装置。
【請求項４】
請求項３記載のコンクリート壁面のひび割れ補修装置において、前記ベース部材の突出部に、前記蛇腹部に挿通するための徐々に縮径したガイド部を有し、しかも、前記ピストンには前記ガイド部が密着嵌入する空間部を備えていることを特徴とするコンクリート壁面のひび割れ補修装置。
【請求項５】
請求項１〜４のいずれか１項に記載のコンクリート壁面のひび割れ補修装置において、前記カプラー部には、前記注入治具を該カプラー部に装着した場合に開く逆止弁が設けられていることを特徴とするコンクリート壁面のひび割れ補修装置。
【請求項６】
請求項１〜５のいずれか１項に記載のコンクリート壁面のひび割れ補修装置において、前記保持ケースの前記蛇腹部を囲む外筒部には、昇降する前記ピストンの突出する第１の掛止部をガイドする複数のガイド切欠きが設けられ、該保持ケースのベース部材に設けられた第２の掛止部との間に、引っ張り方向に作用する前記弾性部材を取付け可能となっていることを特徴とするコンクリート壁面のひび割れ補修装置。
【請求項７】
請求項１〜５のいずれか１項に記載のコンクリート壁面のひび割れ補修装置において、前記保持ケースの基部には蓋部材が設けられて、該蓋部材と前記ピストンの間には、該蓋部材を押圧する前記弾性部材が設けられていることを特徴とするコンクリート壁面のひび割れ補修装置。
【請求項８】
請求項１〜７のいずれか１項に記載のコンクリート壁面のひび割れ補修装置において、前記注入治具は、設置用の脚となる３個以上の突起を備えた環状部材と、該環状部材の中央にある第１管部と、該第１管部に連結されて前記カプラー部の先部が装着される第２管部と、該第２管部に装着した前記カプラー部のロック機構と、前記第１管部に装着されて、前記環状部材から外側に突出可能なスリーブとを有することを特徴とするコンクリート壁面のひび割れ補修装置。
【請求項９】
コンクリート壁面に生じたひび割れの開口部に補修材を注入する補修材注入手段に、前記補修材注入手段の先部に設けられているカプラー部を介して連結して使用される注入治具であって、
設置用の脚となる３個以上の突起を備えた環状部材と、該環状部材の中央にある第１管部と、該第１管部に連結されて前記カプラー部の先部が装着される第２管部と、該第２管部に装着した前記カプラー部のロック機構と、前記第１管部に装着されて、前記環状部材から外側に突出可能なスリーブとを有することを特徴とする注入治具。
【請求項１０】
請求項９記載の注入治具において、前記第２管部には、前記カプラー部を該第２管部に装着した場合に、該カプラー部内に設けられた弁を開く操作部が突出して設けられ、しかも、該操作部には前記カプラー部から流入する前記補修材を導く液通路が設けられていることを特徴とする注入治具。
【発明の詳細な説明】
【技術分野】
【０００１】
本発明はコンクリート壁面のひび割れ補修装置に係り、更に詳細にはコンクリート壁面に生じたひび割れの開口部に補修材を注入してひび割れを補修するコンクリート壁面のひび割れ補修装置及びこれに使用する注入治具に関する。
【背景技術】
【０００２】
コンクリート壁面に生じたひび割れ補修として、ひび割れの開口部から補修材（例えば、液状のエポキシ樹脂系の接着剤）を注入してひび割れを塞ぐ補修方法が一般に知られており、そのための補修装置として、例えば、特許文献１に記載された補修装置２００が提案されている。
この補修装置２００は、図１５に示すように、補修材２０１を注入する箇所に、例えば、エポキシ樹脂系のシール材を介して固設する注入用パイプ２０２と、補修材２０１が充填された注入器２０３を備えている。そして、注入器２０３のノズル２０４を注入用パイプ２０２内に差し込み、注入器２０３のプランジャー２０５に設けたフック２０６と注入用パイプ２０２に設けたフック２０７との間にゴム条帯２０８を掛止して、ゴム条帯２０８の弾力でプランジャー２０５を前進させながら、コンクリート壁面２０９のひび割れ２１０に補修材２０１を徐々に圧入するものである。
【０００３】
【特許文献１】特開昭５８−１２３９７１号公報
【発明の開示】
【発明が解決しようとする課題】
【０００４】
しかしながら、特許文献１に記載された補修装置２００は、注入器２０３の中で補修材２０１が固化すると注入器２０３を再使用することができず、廃棄せねばならなかった。更に、注入器２０３の内壁面に補修材２０１が付着して固化することが繰り返されると、補修材２０１がノズル２０４から流出し難くなって、注入器２０３のプランジャー２０５側から補修材２０１が逆流するという問題が発生する。
このため、補修材２０１が付着しにくいポリプロピレン製やポリエチレン製の注入器を使用しても、注入器の繰り返し使用回数は、例えば、３〜４回が限度となっていた。
【０００５】
注入作業を開始する際には、１）各注入器２０３内に補修材２０１を充填する作業、２）各注入器２０３のノズル２０４をそれぞれ注入用パイプ２０２内に差し込む作業、３）差し込んだ各注入器２０３のプランジャー２０５のフック２０６と注入用パイプ２０２のフック２０７との間にゴム条帯２０８を掛止する作業が必要となり、注入作業が開始されるまでに多くの付帯作業が必要になるという問題がある。また、補修材２０１の注入はひび割れ２１０内に補修材２０１が注入できなくなるまで繰り返し行う必要があり、繰り返しの度毎に１）〜３）の各作業を実施しなければならず、注入箇所及び再注入箇所が多くなると膨大な付帯作業が必要になっていた。
更に、補修材２０１を注入する箇所に注入用パイプ２０２を固設する場合、使用するシール材の量が多いと、このシール材が注入用パイプ２０２の内面側の流路２１１に進入し、このため流路２１１が狭くなったり塞がったりして、補修材２０１の注入速度が遅くなったり、補修材２０１の注入ができなくなるという問題が発生していた。
【０００６】
本発明はかかる事情に鑑みてなされたもので、補修材の注入作業を効率的に行うことができると共に注入作業に繰り返し使用することで産業廃棄物処理の量を減少させ、更に補修材の注入開始までの段取り作業を削減することが可能なコンクリート壁面のひび割れ補修装置及びこれに使用する注入治具を提供することを目的とする。
【課題を解決するための手段】
【０００７】
前記目的に沿う請求項１記載のコンクリート壁面のひび割れ補修装置は、コンクリート壁面に生じたひび割れの開口部に補修材を注入する補修材注入手段と、前記開口部の一部に被せて使用され前記補修材注入手段に連結されて、該補修材注入手段に充填されている補修材を前記開口部に注入する注入治具とを備えたコンクリート壁面のひび割れ補修装置において、
前記補修材注入手段は、
先部に前記注入治具に取り外し可能に連結されるカプラー部と、
前記カプラー部に連結されて内部に前記補修材が充填された周囲が蛇腹部となった補修材容器と、
ベース部材を先部に備え、前記蛇腹部を囲み、伸縮する該蛇腹部をガイドする保持ケースと、
前記蛇腹部の基部に設けられて、前記保持ケース内を移動し、縮んだ状態の前記蛇腹部の基端部に半径方向外側まで被さり、先部には前記蛇腹部に嵌入する突出部を備えるピストンと、
前記ピストンを前記ベース部材に向けて付勢する弾性部材とを有し、
前記ピストンの突出部の外径は、前記蛇腹部が縮んだ状態の該蛇腹部の内径に実質等しいか又は僅少の範囲で小さく、該突出部の高さは、前記蛇腹部が縮んだ時の高さ分を有し、前記ピストンの最大押圧時には、前記蛇腹部内の補修材の全部を前記カプラー部を介して排出可能である。
ここで、突出部の外径が蛇腹部が縮んだ状態の蛇腹部の内径に実質等しいか又は僅少の範囲とは、突出部の外径と蛇腹部が縮んだ状態の蛇腹部の内径との差が、例えば、１〜０．５ｍｍをいう。また、補修材の全部を排出可能とは、補修材容器内に充填された補修材の９５％以上を排出可能であることを指す。
【０００８】
請求項２記載のコンクリート壁面のひび割れ補修装置は、請求項１記載のコンクリート壁面のひび割れ補修装置において、前記ピストンの突出部の先部に、前記蛇腹部に挿通するための先部方向に縮径したガイド部を有し、しかも、前記ベース部材には前記ガイド部が密着嵌入する空間部を備えている。
【０００９】
前記目的に沿う請求項３記載のコンクリート壁面のひび割れ補修装置は、コンクリート壁面に生じたひび割れの開口部に補修材を注入する補修材注入手段と、前記開口部の一部に被せて使用され前記補修材注入手段に連結されて、該補修材注入手段に充填されている補修材を前記開口部に注入する注入治具とを備えたコンクリート壁面のひび割れ補修装置において、
前記補修材注入手段は、
先部に前記注入治具に取り外し可能に連結されるカプラー部と、
前記カプラー部に連結されて内部に前記補修材が充填された周囲が蛇腹部となった補修材容器と、
ベース部材を先部に備え、前記蛇腹部を囲み、伸縮する該蛇腹部をガイドする保持ケースと、
前記蛇腹部の基部に設けられて、前記保持ケース内を移動し、縮んだ状態の前記蛇腹部の基端部に半径方向外側まで被さるピストンと、
前記ピストンを前記ベース部材に向けて付勢する弾性部材とを有し、
前記ベース部材には、前記蛇腹部に嵌入する突出部を備え、該突出部の外径は、前記蛇腹部が縮んだ状態の該蛇腹部の内径に実質等しいか又は僅少の範囲で小さく、該突出部の高さは、前記蛇腹部が縮んだ時の高さ分を有し、前記ピストンの最大押圧時には、前記蛇腹部内の補修材の全部を、前記突出部及び前記カプラー部を介して排出可能である。
ここで、突出部の外径が蛇腹部が縮んだ状態の蛇腹部の内径に実質等しいか又は僅少の範囲とは、突出部の外径と蛇腹部が縮んだ状態の蛇腹部の内径との差が、例えば、１〜０．５ｍｍをいう。また、補修材の全部を排出可能とは、補修材容器内に充填された補修材の９５％以上を排出可能であることを指す。
【００１０】
請求項４記載のコンクリート壁面のひび割れ補修装置は、請求項３記載のコンクリート壁面のひび割れ補修装置において、前期ベース部材の突出部に、前記蛇腹部に挿通するための徐々に縮径したガイド部を有し、しかも、前記ピストンには前記ガイド部が密着嵌入する空間部を備えている。
【００１１】
請求項５記載のコンクリート壁面のひび割れ補修装置は、請１〜４記載のコンクリート壁面のひび割れ補修装置において、前記カプラー部には、前記注入治具を該カプラー部に装着した場合に開く逆止弁が設けられている。
【００１２】
請求項６記載のコンクリート壁面のひび割れ補修装置は、請求項１〜５記載のコンクリート壁面のひび割れ補修装置において、前記保持ケースの前記蛇腹部を囲む外筒部には、昇降する前記ピストンの突出する第１の掛止部をガイトする複数のガイド切欠きが設けられ、該保持ケースのベース部材又は該ベース部材に設けられた第２の掛止部との間に、引っ張り方向に作用する前記弾性部材を取付け可能となっている。
【００１３】
請求項７記載のコンクリート壁面のひび割れ補修装置は、請求項１〜５記載のコンクリート壁面のひび割れ補修装置において、前記保持ケースの基部には蓋部材が設けられて、該蓋部材と前記ピストンの間には、該蓋部材を押圧する前記弾性部材が設けられている。
【００１４】
請求項８記載のコンクリート壁面のひび割れ補修装置は、請求項１〜７記載のコンクリート壁面のひび割れ補修装置において、前記注入治具は、設置用の脚となる３個以上の突起を備えた環状部材と、該環状部材の中央にある第１管部と、該第１管部に連結されて前記カプラー部の先部が装着される第２管部と、該第２管部に装着した前記カプラー部のロック機構と、前記第１管部に装着されて、前記環状部材から外側に突出可能なスリーブとを有する。
【００１５】
前記目的に沿う請求項９記載の注入治具は、コンクリート壁面に生じたひび割れの開口部に補修材を注入する補修材注入手段に、前記補修材注入手段の先部に設けられているカプラー部を介して連結して使用される注入治具であって、
設置用の脚となる３個以上の突起を備えた環状部材と、該環状部材の中央にある第１管部と、該第１管部に連結されて前記カプラー部の先部が装着される第２管部と、該第２管部に装着した前記カプラー部のロック機構と、前記第１管部に装着されて、前記環状部材から外側に突出可能なスリーブとを有する。
【００１６】
請求項１０記載の注入治具は、請求項９記載の注入治具において、前記第２管部には、前記カプラー部を該第２管部に装着した場合に、該カプラー部内に設けられた弁を開く操作部が突出して設けられ、しかも、該操作部には前記カプラー部から流入する前記補修材を導く液通路が設けられている。
【発明の効果】
【００１７】
請求項１及びこれに従属する請求項２、５〜８記載のコンクリート壁面のひび割れ補修装置においては、補修材注入手段で補修材と接触するのは補修材容器及びカプラー部だけなので、補修作業が完了した時点で廃棄の対象を補修材容器及びカプラー部だけに限定することが可能になる。そして、保持ケース、ピストン、及び弾性部材は補修材の注入作業に繰り返し使用することができ、コンクリートのひび割れ補修作業時に発生する廃棄物の量を削減することが可能になる。また、保持ケース、ピストン、及び弾性部材が補修材の注入作業に繰り返し使用できるので、コンクリート壁面のひび割れ補修作業のコストを低減することができる。
【００１８】
特に、請求項２記載のコンクリート壁面のひび割れ補修装置においては、ベース部材にはガイド部が密着嵌入する空間部が備えられているので、ピストンの最大押圧時に、すなわち、蛇腹部が完全に収縮したときに、蛇腹部内に隙間が形成されず、蛇腹部内の補修材の全部をカプラー部を介して外部に容易に排出することが可能となる。
また、繰り返し補修材をひび割れの開口部に注入する場合、ガイド部が空間部に密着嵌入状態で蛇腹部内に補修材を充填することができる。
【００１９】
請求項３及びこれに従属する請求項４〜８記載のコンクリート壁面のひび割れ補修装置においては、補修材注入手段で補修材と接触するのは補修材容器及びカプラー部だけなので、補修作業が完了した時点で廃棄の対象を補修材容器及びカプラー部だけに限定することが可能になる。そして、保持ケース、ピストン、及び弾性部材は補修材の注入作業に繰り返し使用することができ、コンクリートのひび割れ補修作業時に発生する廃棄物の量を削減することが可能になる。また、保持ケース、ピストン、及び弾性部材が補修材の注入作業に繰り返し使用できるので、コンクリート壁面のひび割れ補修作業のコストを低減することができる。
【００２０】
特に、請求項４記載のコンクリート壁面のひび割れ補修装置においては、ベース部材にはガイド部が密着嵌入する空間部が備えられているので、ピストンの最大押圧時に、すなわち、蛇腹部が完全に収縮したときに、蛇腹部内に隙間が形成されず、蛇腹部内の補修材の全部をカプラー部を介して外部に容易に排出することが可能となる。
また、繰り返し補修材をひび割れの開口部に注入する場合、ガイド部が空間部に密着嵌入状態で蛇腹部内に補修材を充填することができ、蛇腹部内にカプラー部以外の空気が入るのを防止し補修材のみを充填することができる。その結果、繰り返し補修材をひび割れの開口部に注入する際に、ひび割れに空気が注入されることが抑制できる。
【００２１】
請求項５記載のコンクリート壁面のひび割れ補修装置においては、カプラー部には、注入治具をカプラー部に装着した場合に開く逆止弁が設けられているので、蛇腹部内に充填した補修材の流出を防止することが可能になる。その結果、補修材注入手段の取り扱いが容易となる。また、注入治具をカプラー部に装着することにより、直ちに補修材の注入を開始することが可能になる。
【００２２】
請求項６記載のコンクリート壁面のひび割れ補修装置においては、保持ケースの蛇腹部を囲む外筒部には、昇降するピストンの突出する第１の掛止部をガイトする複数のガイド切欠きが設けられているので、ピストンの昇降がガイド切欠きにより規制されて、ガイド部が空間部に容易に密着嵌入する事が可能になる。
【００２３】
請求項７記載のコンクリート壁面のひび割れ補修装置においては、保持ケースの基部には蓋部材が設けられて、蓋部材とピストンの間には、蓋部材を押圧する弾性部材が設けられているので、蓋部材を押圧する反力でピストンをベース部材に向けて付勢する事が可能になる。
【００２４】
請求項８記載のコンクリート壁面のひび割れ補修装置においては、注入治具には設置用の脚となる３個以上の突起を備えた環状部材が設けられているので、環状部材をコンクリート壁面にシール材を介して固定する際に、突起の周囲をシール材で鋳ぐるみすることができ、シール材が突起で鉤止めされて環状部材とシール材との結合力を向上させることができる。その結果、環状部材とコンクリート壁面との結合力も向上して、注入治具をコンクリート壁面に強固に固定することが可能になる。更に、ひび割れへの補修材の注入作業中に注入手段取付け治具が脱落して注入作業が中断する頻度を低減させることが可能になる。
また、環状部材から外側に突出可能なスリーブが設けられているので、環状部材をコンクリート壁面に固定する際にスリーブがコンクリート壁面に当接して第１管部内にシール材が進入するのを防止して、第１管部内が狭くなったり塞がったりするのを防止することができる。その結果、補修材が容易に第１管部内を通過するのを可能にして、ひび割れの開口部への補修材の注入を効率的に、かつ、確実に行うことが可能になる。
【００２５】
請求項９及び１０記載の注入治具においては、注入治具には設置用の脚となる３個以上の突起を備えた環状部材が設けられているので、環状部材をコンクリート壁面にシール材を介して固定する際に、突起の周囲をシール材で鋳ぐるみすることができ、シール材が突起で鉤止めされて環状部材とシール材との結合力を向上させることができる。その結果、環状部材とコンクリート壁面との結合力も向上して、注入治具をコンクリート壁面に強固に固定することが可能になる。更に、ひび割れへの補修材の注入作業中に注入手段取付け治具が脱落して注入作業が中断する頻度を低減させることが可能になる。
また、環状部材から外側に突出可能なスリーブが設けられているので、環状部材をコンクリート壁面に固定する際にスリーブがコンクリート壁面に当接して第１管部内にシール材が進入するのを防止して、第１管部内が狭くなったり塞がったりするのを防止することができる。その結果、補修材が容易に第１管部内を通過するのを可能にして、ひび割れの開口部への補修材の注入を効率的に、かつ、確実に行うことが可能になる。
【００２６】
特に、請求項１０記載の注入治具においては、第２管部には、カプラー部を第２管部に装着した場合に、カプラー部内に設けられた弁を開く操作部が突出して設けられ、しかも、操作部にはカプラー部から流入する補修材を導く液通路が設けられているので、注入治具にカプラー部を装着することにより、直ちに補修材の注入を開始することが可能になる。
【発明を実施するための最良の形態】
【００２７】
続いて、添付した図面を参照しつつ、本発明を具体化した実施の形態につき説明し、本発明の理解に供する。
ここで、図１は本発明の第１の実施の形態に係るコンクリート壁面のひび割れ補修装置によるコンクリート壁面に生じたひび割れの補修を示す説明図、図２は同コンクリート壁面のひび割れ補修装置の補修材容器の伸縮筒体が伸びた状態を示す説明図、図３は同コンクリート壁面のひび割れ補修装置の補修材収納容器の伸縮筒体が完全に縮んだ状態を示す説明図、図４（Ａ）は逆止弁の構造を示す説明図、（Ｂ）、（Ｃ）は逆止弁の弁体の説明図、図５は同コンクリート壁面のひび割れ補修装置の補修材注入手段のピストンの説明図、図６は本発明の第１の実施の形態に係るコンクリート壁面のひび割れ補修装置の補修材注入手段の保持ケースの説明図、図７（Ａ）、（Ｂ）、（Ｃ）はそれぞれ同コンクリート壁面のひび割れ補修装置の注入治具の平面図、側面図、底面図、図８は（Ａ）は本発明の第２の実施の形態に係るコンクリート壁面のひび割れ補修装置の補修材注入手段のピストンの斜視図、（Ｂ）はピストンを保持ケース内に配置した際の状態を示す説明図、図９は同コンクリート壁面のひび割れ補修装置の補修材注入手段の保持ケースに蓋部材を取付けた際の状態を示す説明図、図１０（Ａ）は本発明の第３の実施の形態に係るコンクリート壁面のひび割れ補修装置の補修材注入手段の補修材収納容器の説明図、（Ｂ）は（Ａ）のＰ−Ｐ矢視断面図、図１１は同コンクリート壁面のひび割れ補修装置の補修材注入手段のピストンの斜視図、（Ｂ）はピストンの側断面図、図１２（Ａ）は同コンクリート壁面のひび割れ補修装置の補修材注入手段の保持ケースの説明図、（Ｂ）は（Ａ）のＱ−Ｑ矢視断面図、図１３（Ａ）は同コンクリート壁面のひび割れ補修装置の補修材注入手段の補修材収納容器の伸縮筒体が伸びた状態を示す説明図、（Ｂ）は伸縮筒体が完全に収縮した状態を示す説明図、図１４（Ａ）は本発明の第４の実施の形態に係るコンクリート壁面のひび割れ補修装置の補修材注入手段のピストンの斜視図、（Ｂ）はピストンを保持ケース内に配置した際の状態を示す説明図である。
【００２８】
図１に示すように、コンクリート壁面のひび割れ補修装置１０は、コンクリート壁面１１に生じたひび割れ１２の開口部に補修材を注入する補修材注入手段１３と、開口部の一部に被せて使用され補修材注入手段１３に連結されて、補修材注入手段１３に充填されている補修材を開口部に注入する注入治具１４とを備えている。以下、これらについて詳細に説明する。
【００２９】
図２、図３に示すように、補修材注入手段１３の先部に設けられたカプラー部１５は、上流管１６と、上流管１６に逆止弁１７を介して締着される下流管１８を有している。ここで、上流管１６と下流管１８は、例えば、塩化ビニル管で形成することができる。
更に、上流管１６の側部で０°、１２０°、及び２４０°の各周方向位置には、半径方向外側に向かって突出する第１の突起部１９がそれぞれ設けられている。また、下流管１８の側部で０°、１２０°、及び２４０°の各周方向位置には半径方向外側に向かって突出する第２の突起部２０がそれぞれ設けられている。
逆止弁１７は、図４（Ａ）〜（Ｃ）に示すように、例えば、下流管１８の上流側に取付けられる環状の弁座２１と、環状の弁座２１の中央部に形成された開口２２を塞ぐ円形の弁２３を備えた弁体２４を有している。そして、弁体２４は、弁２３を同心状に取り囲む環状の保持部２５に弁２３の半径方向外側に伸びる複数の連結体２６を介して取付けられている。
このような構成とすることにより、弁２３を下流管１８に取付けた弁座２１に載せて、下流管１８を上流管１７に締着すると、保持部２５が弁座２１と上流管１６により挟持されて固定され、弁２３で弁座２１の中央部に形成された開口２２を塞ぐことができる。
【００３０】
カプラー部１５に連結されて内部に補修材が充填され周囲が側部に複数のひだ２７を備えた蛇腹部２８となった補修材容器２９は、例えば、ゴムを使用して形成することができる。そして、蛇腹部２８は、基部に設けられた窪み３０と、蛇腹部２８の先部に設けられた張り出し３１を有している。そして、窪み３０の中央部には突起３２が形成され、張り出し３２の中央部にはカプラー部１５の上流管１６と、例えば接着剤を用いて接続される接続口３３が設けられている。
また、ピストン３４は、例えば、塩化ビニル等のプラスティックを用いて形成することができ、図２、図３、図５に示すように、蛇腹部２８の基部に設けられて、縮んだ状態の蛇腹部２８の基端部に半径方向外側まで被さるピストン本体３５と、ピストン本体３５の先部に設けられ蛇腹部２８の窪み３０に嵌入する突出部３６を有している。なお、突出部３６の先部には蛇腹部２８に挿通するため先部方向に縮径したガイド部３７が設けられている。また、ピストン本体３５の側部には複数の第１の掛止部３８が設けられ、ピストン本体３５の中央部には貫通孔３８ａが設けられて、蛇腹部２８の窪み３０に突出部３６が嵌入された際に、窪み３０の中央部に形成された突起３２が収容されるようになっている。
【００３１】
図６に示すように、保持ケース３９は、例えば、塩化ビニル等のプラスティックを用いて形成することができ、先部に設けられたベース部材４０と、蛇腹部２８を囲む外筒部４１を有している。
ここで、外筒部４１は、外筒部４１の基部にねじ止めされる蓋４２を有している。また、ベース部材４０には、ガイド部３７が密着嵌入する空間部４３が設けられ、更に、ベース部材４０の中央部にはカプラー部１５が挿通する挿通孔４４が設けられている。なお、挿通孔４４の縁部には、下流管１８の側部に設けられた各第２の突起部２０を通過させて、上流管１６の側部に設けられた各第１の突起部１９を収納する切欠き４５が３箇所設けられている。更に、外筒部４１には、ピストン３４の突出する第１の掛止部３８をガイドする複数のガイド切欠き４６が設けられ、各ガイド切欠き４６の先端の前方にはそれぞれ第２の掛止部４７が設けられている。
【００３２】
これによって、カプラー部１５を挿通孔４４に挿通させて蛇腹部２８を保持ケース３９内に収納した際に、蛇腹部２８の先部の張り出し３１をベース部材４０で支持しながら、蛇腹部２８の基部を保持ケース３９内で移動させることができる。また、上流管１６の側部に設けられた第１の突起部１９はそれぞれ切欠き４５に収納されているので、蛇腹部２８を保持ケース３９内に収納して保持ケース３９に掛止することができる。
また、各第１の掛止部３８をそれぞれガイド切欠き４６に挿通させて、各第１の掛止部３８と各第２の掛止部４７との間に弾性部材の一例である帯状のゴム輪４８を引き伸ばした状態で掛止すると、ゴム輪４８に生じる収縮力によりピストン３４をベース部材４０に向けて付勢することができる。このとき、ピストン３４の移動と共に各第１の掛止部３８は各ガイド切欠き４６内を移動するので、ピストン３４をガイド切欠き４６に沿った方向に移動させることができる。その結果、ピストン１６の移動に伴って蛇腹部２８の基部を保持ケース３９内で移動させて、蛇腹部２８を縮ませることができる。
そして、カプラー部１５を介してポンプで補修材を補修材容器２９内に流入させると、流入した補修材の体積に応じて蛇腹部２８のひだ２７が伸びて基部に設けられたピストン３４がベース部材４０から離れていく。このとき、第１の掛止部３８と第２の掛止部４７との間に掛止された帯状の各ゴム輪４８は引き伸ばされた状態となっていくので、補修材の充填が終了した時点では各ゴム輪４８内には収縮力が発生して、ピストン３４にはベース部材４０に向けて移動させる推進力が作用し補修材容器２９内に充填された補修材は加圧された状態になっている。
ここで、突出部３６の高さをｈ、突出部３６の先部に設けられたガイド部３７の高さをｋ、窪み３０と張り出し３１の厚みをそれぞれｍ、ｎ、空間部４３の深さをｐ、蛇腹部２８が縮んだ時の高さをＨとした場合、Ｈ＝ｈ、及びｐ＝ｋ＋ｍ＋ｎの関係が成立するようにすると、蛇腹部２８が収縮した際に、窪み３０と張り出し３１を介してガイド部３７を空間部４３に密着嵌入することができる。その結果、蛇腹部２８内の補修材の全部（例えば、充填された補修材の９５％以上）をカプラー部１５を介して排出することが可能になる。
【００３３】
図７（Ａ）〜（Ｃ）に示すように、注入治具１４は、設置用の脚となる４個の突起４８ａを備えた環状部材４９と、の中央にある第１管部５０と、第１管部５０に連結されてカプラー部１５の先部が装着される第２管部５１と、第２管部５１に装着したカプラー部１５のロック機構５２と、第１管部５０に装着されて、環状部材４９から外側に突出可能なスリーブ５３を有している。
このような構成とすることにより、スリーブ５３をコンクリート壁面１１に当接させてひび割れ１２の開口部の一部を囲繞することができ、環状部材４９をコンクリート壁面１１にシール材を介して固定する際に、シール材が第１管部５０内に進入して補修材の流通路が狭くなったり塞がったりするのを防止できる。また、突起４８ａの周囲をシール材で鋳ぐるみすることができ、シール材が突起４８ａで鉤止めされて環状部材４９とシール材との結合力を向上させることができる。
【００３４】
また、第２管部５１には、カプラー部１５を第２管部５１に装着した場合に、カプラー部１５内に設けられた弁２３を開く操作部５４が突出して設けられ、しかも、操作部５４にはカプラー部１５から流入する補修材を導く液通路５５が設けられている。
ここで、操作部５４は、例えば、環状の弁座２１の中央部に形成された開口２２に挿通可能な外径を有し、第２管部５１から突出する、例えば管を用いて構成することができる。なお、操作部５４の長さは、カプラー部１５が装着された際に、逆止弁１７の弁座２１に設けられた開口２２を貫通できる長さにする必要がある。更に、操作部５４の側部には操作部５４の軸方向に沿って複数の長孔５６が設けら液通路５５への補修材の流入を容易にしている。
また、ロック機構５２は、例えば、下流管１８の側部に設けられた各第２の突起部２０が装入される複数の装入口５７と、装入された各第２の突起部２０を一方方向から受け入れて把持する複数の収納部５８を有している。
【００３５】
このような構成とすることにより、カプラー部１５の先部に操作部５４の先部を装入しながらカプラー部１５の先部を第２管部５１に近づけ、各第２の突起部２０を装入口５７から装入しカプラー部１５を一方方向に回転させると、各第２の突起部２０をそれぞれ収納部５８内に装入することができ、カプラー部１５を第２管部５１に装着することができる。
そして、カプラー部１５が第２管部５１に装着された状態では、操作部５４は逆止弁１７の弁座２１に設けられた開口２２を貫通しているので、弁２３が操作部５４の先端部で持ち上げられて弁座２１の開口２２から離脱状態になっているため、操作部５４の液通路５５と操作部５４の側部に設けられた複数の長孔５６を介して補修材容器２９と第２管部５１を連通させることができる。
【００３６】
続いて、本発明の第１の実施の形態に係るコンクリート壁面のひび割れ補修装置１０の使用方法について説明する。
先ず、予め逆止弁１７が設けられているカプラー部１５を保持ケース３９の挿通孔４４に挿通させて補修材容器２９を保持ケース３９内に収納する。このとき、上流管１６の側部に設けられた各第１の突起部１９はそれぞれ切り欠き４５に収納された状態になるので、補修材容器２９を保持ケース３９に掛止することができる。
【００３７】
次いで、蛇腹部２８の窪み３０にピストン３４の突出部３６を嵌入させ、窪み３０の中央部に形成された突起３２を貫通孔３８ａに収納する。これによって、ピストン３４と蛇腹部２８の基部とを連接することができる。
続いて、ピストン３４の各第１の掛止部３８をそれぞれ保持ケース３９のガイド切欠き４６に挿通させて、保持ケース３９内にピストン３４を収納し蓋４２を取付ける。そして、各第１の掛止部３８と各第２の掛止部４７との間にはゴム輪４８を引き伸ばした状態で掛止する。
【００３８】
このとき、ゴム輪４8 に生じる収縮力によりピストン３４をベース部材４０に向けて付勢することができ、ピストン３４の移動に伴って、蛇腹部２８の基部を保持ケース３９内でベース部材４０に向けて移動させて蛇腹部２８を縮ませることができる。なお、ピストン３４の移動と共に各第１の掛止部３８は各ガイド切欠き４６内を移動するので、ピストン３４をガイド切欠き４６に沿った方向に移動させることができ、蛇腹部２８が収縮した際には、張り出し３１を介してガイド部３７を空間部４３に密着嵌入することができる。このため、当初、補修材容器２９内に存在していた空気を補修材容器２９内から排除することができる。
【００３９】
従って、カプラー部１５を介してポンプで補修材を補修材容器２９内に流入させると、補修材容器２９内に補修材のみを充填することができる。なお、補修材が補修材容器２９内に流入していくと、流入した補修材の体積に応じて蛇腹部２８のひだ２７が伸びて基部に設けられたピストン３４がベース部材４０から離れていく。このため、ピストン３４が蓋４２に当接することにより補修材容器２９内への補修材の充填が完了したことが判る。
このとき、第１の掛止部３８と第２の掛止部４７との間に掛止された帯状の各ゴム輪４８は引き伸ばされた状態となっている。このため、各ゴム輪４８内には収縮力が発生してピストン３４にはベース部材４０に向けて移動させる推進力が作用し補修材容器２９内に充填された補修材は加圧される。このため、補修材容器２９内に充填された補修材には内圧が発生した状態になっている。
【００４０】
一方、コンクリート壁面１１に生じたひび割れ１２の開口部の一部を除いた残りの部分をシール材でシールする。また、注入治具１４の環状部材４９に設けられた突起４８ａが形成された側にシール材を載置する。そして、ひび割れ１２の開口部の一部が注入治具１４のスリーブ５３で囲繞されるように位置を確認してスリーブ５３をコンクリート壁面１１に当接させる。
次いで、環状部材４９をコンクリート壁面１１に近づける。なお、環状部材４９は突起４８ａの高さに相当する隙間を有してコンクリート壁面１１に近接することができ、この隙間にはシール材が充填された状態になっている。
このとき、シール材はスリーブ５３が存在しているため第１管部５０内に進入することができず、補修材の流通路が狭くなったり塞がったりするのを防止できる。また、各突起４８ａはシール材で鋳ぐるみされた状態になっているので、シール材が突起４８ａで鉤止めされて環状部材４９とシール材との結合力を向上させることができ、シール材を介して環状部材４９をコンクリート壁面１１に強固に固定することができる。
【００４１】
続いて、カプラー部１５の先部に操作部５４の先部を装入しながらカプラー部１５の先部を第２管部５１に近づけ、各第２の突起部２０を装入口５７から装入しカプラー部１５を一方方向に回転させて各第２の突起部２０をそれぞれ収納部５８内に装入し、カプラー部１５を第２管部５１に装着する。
そして、カプラー部１５が第２管部５１に装着された状態では、操作部５４は逆止弁１７の弁座２１に設けられた開口２２を貫通しているので、弁２３が操作部５４の先端部で持ち上げられて弁座２１の開口２２から離脱状態になっている。このため、操作部５４の液通路５５と操作部５４の側部に設けられた複数の長孔５６を介して、補修材容器２９と第２管部５１は連通する。
その結果、補修材容器２９内から補修材がカプラー部１５を介して第２管部５１内に進入し、更に第１管部５０内に充満する。このとき、蛇腹部２８の基部はピストン３４により押されているので、第１管部５０内に充満した補修材には内圧が発生しており、補修材はスリーブ５３で囲繞されているひび割れ１２の開口部からひび割れ１２内に徐々に進入していく。
【００４２】
補修材がひび割れ１２の開口部に注入されていくと、注入された補修材量に応じて蛇腹部２８が縮んでいく。ひび割れ１２内が補修材で充填されると補修材は注入されなくなるので、ピストン３４の移動が停止した時点で、注入が完了したことが判る。
また、ひび割れ１２が大きい場合、補修材容器２９内の補修材は全て注入されて、蛇腹部２８は収縮し張り出し３１を介してガイド部３７を空間部４３に密着嵌入することができる。このため、補修材容器２９内の補修材を完全に排出させてひび割れ１２に注入することができる。
そして、補修材の注入を継続する場合、補修材注入手段１３を注入治具１４から取り外し、ポンプを用いて補修材を補修材容器２９に再充填する。この場合も、張り出し３１を介してガイド部３７を空間部４３に密着嵌入している状態で補修材の充填を行うことができるので、補修材容器２９内に空気が入るのを防止して補修材のみを充填することができる。そして、ひび割れ１２内に補修材が注入されなくなるまで、補修材の注入を繰り返し行う。
【００４３】
ひび割れ１２内が補修材で充填されてピストン３４の移動が停止したことが確認されると、補修材注入手段１３を注入治具１４に連結した状態で、注入した補修材の硬化が完了するまで放置する。このように、補修材注入手段１３から補修材がひび割れ１２内に常に注入できる状態で補修材の硬化を行うため、ひび割れ１２内を補修材で満たしながら硬化を行うことができる。
ひび割れ１２内の注入した補修材の硬化が完了した時点では、補修材注入手段１３及び注入治具１４内に存在している補修材も硬化している。このため、コンクリート壁面１１から取り外した補修材注入手段１３及び注入治具１４の中で、補修材容器２９、カプラー部１５、及び注入治具１４は再使用できず廃棄対象となる。一方、保持ケース３９、ピストン１６、及びゴム輪４８は補修材と接触しないため、再使用できる。
【００４４】
本発明の第２の実施の形態に係るコンクリート壁面のひび割れ補修装置５９は、本発明の第１の実施の形態に係るコンクリート壁面のひび割れ補修装置１０と比較して、ピストン６０と保持ケース３９の基部に設けられる蓋部材６１との間に長さ方向に圧縮された弾性部材の一例であるバネ６２を設けて、このバネ６２に生じる復元力によりピストン６０をベース部材４０に向けて移動させることが特徴になっている。このため、バネ６２の設置が容易になるような構成になっているピストン６０と蓋部材６１に関してのみ詳細に説明し、コンクリート壁面のひび割れ補修装置１０と同一の部材については同一の符号を付して説明を省略する。
図８（Ａ）、（Ｂ）に示すように、ピストン６０は、例えば、塩化ビニル等のプラスティックを用いて形成することができ、蛇腹部２８の基部に設けられて、縮んだ状態の蛇腹部２８の基端部に半径方向外側まで被さるピストン本体６３と、ピストン本体６３の先部に設けられ蛇腹部２８の窪み３０に嵌入する突出部６４を有している。なお、突出部６４の先部には蛇腹部２８に挿通するため先部方向に縮径したガイド部６５が設けられている。
また、ピストン本体６３の側部には複数の第１の掛止部６６が設けられ、ピストン本体６３の中央部には貫通孔６７が設けられて、蛇腹部２８の窪み３０に突出部６４が嵌入された際に、窪み３０の中央部に形成された突起３２が収容されるようになっている。更に、ピストン本体６３の上面側には、円環状の溝６８が形成されている。
【００４５】
図９に示すように、円板状の蓋部材６１の一方側には、蓋部材６１の中心と同心状に第１の溝６９、その外側に第２の溝７０がそれぞれ形成されている。そして、第２の溝７０の外周側には、保持ケース３９の基端側と螺合するねじ部７１が形成されている。ここで、第１の溝６９の内外径はそれぞれ円環状の溝６８の内外径と実質的に一致している。なお、蓋部材６１は、例えば、塩化ビニル等のプラスティックを用いて形成することができる。
このような構成とすることにより、バネ６２の一端側をピストン本体６３に形成した溝６８の中に収納し、他端側を蓋部材６１に形成したは第１の溝６９内に収納することができる。
【００４６】
従って、カプラー部１５を挿通孔４４に挿通させて蛇腹部２８を保持ケース３９内に収納した際に、蛇腹部２８の先部の張り出し３１をベース部材４０で支持しながら、蛇腹部２８の基部を保持ケース３９内で移動させることができる。また、上流管１６の側部に設けられた第１の突起部１９はそれぞれ切欠き４５に収納されているので、蛇腹部２８を保持ケース３９内に収納して保持ケース３９に掛止することができる。
また、各第１の掛止部６６をそれぞれガイド切欠き４６に挿通させて、バネ６２をピストン６０と蓋部材６１との間に圧縮された状態で収納すると、バネ６２には復元力が発生するため、ピストン６０をベース部材４０に向けて付勢することができる。このとき、ピストン６０の移動と共に各第１の掛止部６６は各ガイド切欠き４６内を移動するので、ピストン６０をガイド切欠き４６に沿った方向に移動させることができる。その結果、ピストン６０の移動に伴って蛇腹部２８の基部を保持ケース３９内で移動させて、蛇腹部２８を縮ませることができる。
そして、カプラー部１５を介してポンプで補修材を補修材容器２９内に流入させると、流入した補修材の体積に応じて蛇腹部２８のひだ２７が伸びて基部に設けられたピストン６０がベース部材４０から離れていく。このとき、バネ６２は徐々に圧縮された状態となっていくので、補修材の充填が終了した時点でバネ６２には収縮力が発生して、ピストン６０にはベース部材４０に向けて移動させる推進力が作用し補修材容器２９内に充填された補修材は加圧された状態になっている。
なお、コンクリート壁面のひび割れ補修装置５９の作用はピストン６０がバネ６２に生じる復元力により付勢されることを除けば、コンクリート壁面のひび割れ補修装置１０の作用と同一である。このため、コンクリート壁面のひび割れ補修装置５９の使用方法も、コンクリート壁面のひび割れ補修装置１０の使用方法と同一にすることができるので、使用方法の説明も省略する。
【００４７】
本発明の第３の実施の形態に係るコンクリート壁面のひび割れ補修装置７２は、本発明の第１の実施の形態に係るコンクリート壁面のひび割れ補修装置１０と比較して、補修材容器７３の蛇腹部７４の形状が異なっていることが特徴となっている。このため、この蛇腹部７４を収納する保持ケース７５、及び蛇腹部７４の基部に設けられるピストン７６の構造も異なっている。このため、蛇腹部７４、保持ケース７５、及びピストン７６に関して詳細に説明し、コンクリート壁面のひび割れ補修装置１０と同一の部材については同一の符号を付して説明を省略する。
図１０に示すように、カプラー部１５に連結されて内部に補修材が充填され周囲が側部に複数のひだ７７を備えた蛇腹部７４となった補修材容器７３は、例えば、ゴムを使用して形成することができる。そして、蛇腹部７４は、基部に設けられた張り出し７８と、蛇腹部２８の先部に設けられた窪み７９を有している。そして、張り出し７８の中央部には突起８０が形成され、窪み７９の中央部にはカプラー部１４の上流管１６と、例えば接着剤を用いて接続される接続口８１が設けられている。
また、図１１に示すように、ピストン７６は、例えば、塩化ビニル等のプラスティックを用いて形成することができ、図１１に示すように、蛇腹部７４の基部に設けられて、縮んだ状態の蛇腹部７４の基端部に半径方向外側まで被さるピストン本体８２を有している。そして、ピストン本体８２には、蛇腹部７４の張り出し７８を嵌入する空間部８３が設けられている。また、ピストン本体８２の側部には複数の第１の掛止部８４が設けられ、ピストン本体８２の中央部には貫通孔８５が設けられて、蛇腹部７４の張り出し７８が空間部８３に嵌入された際に、張り出し７８の中央部に形成された突起８０が収容されるようになっている。
【００４８】
図１２に示すように、保持ケース７５は、例えば、塩化ビニル等のプラスティックを用いて形成することができ、先部に設けられたベース部材８６と、蛇腹部７４を囲む外筒部８７を有している。
ここで、外筒部８７は、外筒部８７の基部にねじ止めされる蓋を有しており、蓋には第１の実施形態に係るコンクリート壁面のひび割れ補修装置１０の蓋４２を使用することができる。また、ベース部材８６には突出部９０が設けられ、突出部９０の先部には蛇腹部７４に挿通するため先部方向に縮径し、空間部８３に密着嵌入するガイド部８９が設けられている。更に、ベース部材８６の中央部にはカプラー部１５が挿通する挿通孔９１が設けられている。なお、挿通孔９１の縁部には、下流管１８の側部に設けられた各第２の突起部２０を通過させて、上流管１６の側部に設けられた各第１の突起部１９を収納する切欠き９２が３箇所設けられている。更に、外筒部８７には、ピストン７６の突出する第１の掛止部８４をガイトする複数のガイド切欠き９３が設けられ、各ガイド切欠き９３の先端の前方にはそれぞれ第２の掛止部９４が設けられている。
【００４９】
このような構成とすることにより、図１３（Ａ）に示すように、カプラー部１５を挿通孔９１に挿通させて蛇腹部７４を保持ケース７５内に収納した際に、蛇腹部７４の先部の窪み７９をベース部材８６で支持しながら、蛇腹部７４の基部を保持ケース７５内で移動させることができる。また、上流管１６の側部に設けられた第１の突起部１９はそれぞれ切欠き９２に収納されているので、蛇腹部７４を保持ケース７５内に収納して保持ケース７５に掛止することができる。
また、各第１の掛止部８４をそれぞれガイド切欠き９３に挿通させて、各第１の掛止部８４と各第２の掛止部９４との間に弾性部材の一例である帯状のゴム輪４８を引き伸ばした状態で掛止すると、ゴム輪４８に生じる収縮力によりピストン７６をベース部材８６に向けてできる。このとき、ピストン７６の移動と共に各第１の掛止部８４は各ガイド切欠き９３内を移動するので、ピストン７６をガイド切欠き９３に沿った方向に移動させることができる。その結果、ピストン７６の移動に伴って蛇腹部７４の基部を保持ケース７５内で移動させて、蛇腹部７４を縮ませることができる。
そして、カプラー部１５を介してポンプで補修材を補修材容器７３内に流入させると、流入した補修材の体積に応じて蛇腹部７４のひだ７７が伸びて基部に設けられたピストン７６がベース部材８６から離れていく。このとき、第１の掛止部８４と第２の掛止部９４との間に掛止された帯状の各ゴム輪４８は引き伸ばされた状態となっていくので、補修材の充填が終了した時点では各ゴム輪４８内には収縮力が発生して、ピストン７６にはベース部材８６に向けて移動させる推進力が作用し補修材容器７３内に充填された補修材は加圧された状態になっている。
ここで、突出部９０の高さをｈ、突出部９０の先部に設けられたガイド部８９の高さをｋ、窪み７９と張り出し７８の厚みをそれぞれｍ、ｎ、空間部８３の深さをｐ、蛇腹部７４が縮んだ時の高さをＨとした場合、Ｈ＝ｈ、及びｐ＝ｋ＋ｍ＋ｎの関係が成立するようにすると、蛇腹部７４が収縮した際に、窪み７９と張り出し７８を介してガイド部８９を空間部８３に密着嵌入することができる。その結果、蛇腹部７４内の補修材の全部（例えば、充填された補修材の９５％以上）をカプラー部１５を介して排出することが可能になる。
【００５０】
本発明の第４の実施の形態に係るコンクリート壁面のひび割れ補修装置９６は、本発明の第３の実施の形態に係るコンクリート壁面のひび割れ補修装置７２と比較して、図１４（Ｂ）に示すように、保持ケース７５の基端側に収納されるバネ９７に生じる復元力によりピストン９８を前進させることが特徴になっている。このため、バネ９７の設置が容易となった構成を有するピストン９８に関して詳細に説明する。また、保持ケース７５の基端側に取付けられてピストン９８と共にバネ９７を保持する蓋部材には、第２の実施の形態に係るコンクリート壁面のひび割れ補修装置５９の蓋部材６１を使用することができる。従って、コンクリート壁面のひび割れ補修装置５９と同一の部材については同一の符号を付して説明を省略する。
図１４（Ａ）に示すように、ピストン９８は、例えば、塩化ビニル等のプラスティックを用いて形成することができ、蛇腹部７４の基部に設けられて、縮んだ状態の蛇腹部７４の基端部に半径方向外側まで被さるピストン本体９９を有している。そして、ピストン本体９９には、蛇腹部７４の張り出し７８を嵌入する空間部１００が設けられている。また、ピストン本体９９の側部には複数の第１の掛止部１０１が設けられ、ピストン本体９９の中央部には貫通孔１０２が設けられて、蛇腹部７４の張り出し７８が空間部１００に嵌入された際に、張り出し７８の中央部に形成された突起８０が収容されるようになっている。更に、ピストン本体９９の上面側には、円環状の溝１０３が形成されている。このような構成とすることにより、バネ９７の一端側をピストン本体９９に形成した溝１０３の中に収納し、他端側を蓋部材６１に形成したは第１の溝６９内に収納することができる。
【００５１】
従って、カプラー部１５を挿通孔９１に挿通させて蛇腹部７４を保持ケース７５内に収納した際に、蛇腹部７４の先部の窪み７９をベース部材８６で支持しながら、蛇腹部７４の基部を保持ケース７５内で移動させることができる。また、上流管１６の側部に設けられた第１の突起部１９はそれぞれ切欠き９２に収納されているので、蛇腹部７４を保持ケース７５内に収納して保持ケース７５に掛止することができる。
また、各第１の掛止部１０１をそれぞれガイド切欠き９３に挿通させて、バネ９７をピストン９８と蓋部材６１との間に圧縮された状態で収納すると、バネ９７には復元力が発生するため、ピストン９８をベース部材８６に向けて付勢することができる。このとき、ピストン９８の移動と共に各第１の掛止部１０１は各ガイド切欠き９３内を移動するので、ピストン１０１をガイド切欠き９３に沿った方向に移動させることができる。その結果、ピストン１０１の移動に伴って蛇腹部７４の基部を保持ケース７５内で移動させて蛇腹部７４を縮ませることができ、蛇腹部７４が収縮した際には、窪み７９を介してガイド部８９を空間部８３に密着嵌入することができる。このため、当初、補修材容器７３内に存在していた空気を補修材容器７３内から排除することができる。
そして、カプラー部１５を介してポンプで補修材を補修材容器７３内に流入させると、流入した補修材の体積に応じて蛇腹部７４のひだ７７が伸びて基部に設けられたピストン１０１がベース部材８６から離れていく。このとき、バネ９７は徐々に圧縮された状態となっていくので、補修材の充填が終了した時点でバネ９７には収縮力が発生して、ピストン１０１にはベース部材８６に向けて移動させる推進力が作用し補修材容器７３内に充填された補修材は加圧された状態になっている。
ピストン９８の移動に伴って蛇腹部７４の基部を保持ケース７５内で移動させて、蛇腹部７４を縮ませることができる。このとき、ピストン９８の移動と共に各第１の掛止部１０１は各ガイド切欠き９３内を移動するので、ピストン９８をガイド切欠き９３に沿った方向に移動させることができ、蛇腹部７４が収縮した際には、窪み７９を介してガイド部８９を空間部８３に密着嵌入することができる。。このため、当初、補修材容器７３内に存在していた空気を補修材容器７３内から排除することができる。
なお、コンクリート壁面のひび割れ補修装置９６の作用はピストン９８がバネ９７に生じる復元力により移動することを除けば、コンクリート壁面のひび割れ補修装置７２の作用と同一であり、従ってコンクリート壁面のひび割れ補修装置１０の作用と同一である。このため、コンクリート壁面のひび割れ補修装置９６使用方法も、コンクリート壁面のひび割れ補修装置１０の使用方法と同一にすることができるので、使用方法の説明も省略する。
【００５２】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明のコンクリート壁面のひび割れ補修装置を構成する場合も本発明の権利範囲に含まれる。
例えば、塩化ビニルを用いて、補修材注入手段の保持ケース、ピストン、カプラー部を形成したが、ポリプロピレンやポリエチレンを用いて形成することができる。また、補修材容器の蛇腹部をゴムで形成したが、塩化ビニル、ポリプロピレン、ポリエチレン等の合成樹脂を用いて形成してもよい。
更に、注入治具の環状部材に突起を複数設けたが、環状部材に貫通孔を複数設けて、コンクリート壁面に注入治具を固定する際にコンクリート壁面と環状部材の間に設けたシール材の一部をこの貫通孔から吐出させて硬化させてもよい。これによって、吐出し硬化したシール材で環状部材を鉤止めすることができ、コンクリート壁面に環状部材を強固に固定することができる。
【図面の簡単な説明】
【００５３】
【図１】本発明の第１の実施の形態に係るコンクリート壁面のひび割れ補修装置によるコンクリート壁面に生じたひび割れの補修を示す説明図である。
【図２】同コンクリート壁面のひび割れ補修装置の補修材容器の伸縮筒体が伸びた状態を示す説明図である。
【図３】同コンクリート壁面のひび割れ補修装置の補修材収納容器の伸縮筒体が完全に縮んだ状態を示す説明図である。
【図４】（Ａ）は逆止弁の構造を示す説明図、（Ｂ）、（Ｃ）は逆止弁の弁体の説明図である。
【図５】本発明の第１の実施の形態に係るコンクリート壁面のひび割れ補修装置の補修材注入手段のピストンの説明図である。
【図６】同コンクリート壁面のひび割れ補修装置の補修材注入手段の保持ケースの説明図である。
【図７】（Ａ）、（Ｂ）、（Ｃ）はそれぞれ同コンクリート壁面のひび割れ補修装置の注入治具の平面図、側面図、底面図である。
【図８】（Ａ）は本発明の第２の実施の形態に係るコンクリート壁面のひび割れ補修装置の補修材注入手段のピストンの斜視図、（Ｂ）はピストンを保持ケース内に配置した際の状態を示す説明図である。
【図９】同コンクリート壁面のひび割れ補修装置の補修材注入手段の保持ケースに蓋部材を取付けた際の状態を示す説明図である。
【図１０】（Ａ）は本発明の第３の実施の形態に係るコンクリート壁面のひび割れ補修装置の補修材注入手段の補修材収納容器の説明図、（Ｂ）は（Ａ）のＰ−Ｐ矢視断面図である。
【図１１】（Ａ）は同コンクリート壁面のひび割れ補修装置の補修材注入手段のピストンの斜視図、（Ｂ）はピストンの側断面図である。
【図１２】（Ａ）は同コンクリート壁面のひび割れ補修装置の補修材注入手段の保持ケースの説明図、（Ｂ）は（Ａ）のＱ−Ｑ矢視断面図である。
【図１３】（Ａ）は同コンクリート壁面のひび割れ補修装置の補修材注入手段の補修材収納容器の伸縮筒体が伸びた状態を示す説明図、（Ｂ）は伸縮筒体が完全に収縮した状態を示す説明図である。
【図１４】（Ａ）は本発明の第４の実施の形態に係るコンクリート壁面のひび割れ補修装置の補修材注入手段のピストンの斜視図、（Ｂ）はピストンを保持ケース内に配置した際の状態を示す説明図である。
【図１５】従来例に係るコンクリート壁面のひび割れ補修装置の説明図である。
【符号の説明】
【００５４】
１０：コンクリート壁面のひび割れ補修装置、１１：コンクリート壁面、１２：ひび割れ、１３：補修材注入手段、１４：注入治具、１５：カプラー部、１６：上流管、１７：逆止弁、１８：下流管、１９：第１の突起部、２０：第２の突起部、２１：弁座、２２：開口、２３：弁、２４：弁体、２５：保持部、２６：連結体、２７：ひだ、２８：蛇腹部、２９：補修材容器、３０：窪み、３１：張り出し、３２：突起、３３：接続口、３４：ピストン、３５：ピストン本体、３６：突出部、３７：ガイド部、３８：第１の掛止部、３８ａ：貫通孔、３９：保持ケース、４０：ベース部材、４１：外筒部、４２：蓋、４３：空間部、４４：挿通孔、４５：切欠き、４６：ガイド切欠き、４７：第２の掛止部、４８：ゴム輪、４８ａ：突起、４９：環状部材、５０：第１管部、５１：第２管部、５２：ロック機構、５３：スリーブ、５４：操作部、５５：液通路、５６：長孔、５７：装入口、５８：収納部、５９：コンクリート壁面のひび割れ補修装置、６０：ピストン、６１：蓋部材、６２：バネ、６３：ピストン本体、６４：突出部、６５：ガイド部、６６：第１の掛止部、６７：貫通孔、６８：溝、６９：第１の溝、７０：第２の溝、７１：ねじ部、７２：コンクリート壁面のひび割れ補修装置、７３：補修材容器、７４：蛇腹部、７５：保持ケース、７６：ピストン、７７：ひだ、７８：張り出し、７９：窪み、８０：突起、８１：接続口、８２：ピストン本体、８３：空間部、８４：第１の掛止部、８５：貫通孔、８６：ベース部材、８７：外筒部、８８：蓋、８９：ガイド部、９０：突出部、９１：挿通孔、９２：切欠き、９３：ガイド切欠き、９４：第２の掛止部、９６：コンクリート壁面のひび割れ補修装置、９７：バネ、９８：ピストン、９９：ピストン本体、１００：空間部、１０１：第１の掛止部、１０２：貫通孔、１０３：溝
【図１】
2005163431.tif 000003
【図２】
2005163431.tif 000004
【図３】
2005163431.tif 000005
【図４】
2005163431.tif 000006
【図５】
2005163431.tif 000007
【図６】
2005163431.tif 000008
【図７】
2005163431.tif 000009
【図８】
2005163431.tif 000010
【図９】
2005163431.tif 000011
【図１０】
2005163431.tif 000012
【図１１】
2005163431.tif 000013
【図１２】
2005163431.tif 000014
【図１３】
2005163431.tif 000015
【図１４】
2005163431.tif 000016
【図１５】
2005163431.tif 000017